(57)【特許請求の範囲】
【請求項１】
自動車用シートベルトのリトラクタ装置であって、
シートベルトのウェビング（１１０）をドラム（１００）内に巻き入れる時、うず巻き形スプリング（１２０）の弾性力でドラム軸（１３０）を回転させて巻き入れるとともに、前記うず巻き形スプリング（１２０）の弾性力に連動してドラム軸（１３０）の回転速度を減少させるスプリング連繋駆動手段（１０）を具備して構成され、
前記スプリング連繋駆動手段（１０）は、
前記うず巻き形スプリング（１２０）の弾性力により連動され、スライド移動を可能にするガイド部材（１１ａ）に挿入され、先端に復元スプリング（１１ｂ）を有する棒状の第１ロード部材（１１）と、
前記第１ロード部材（１１）に設けられたガイド孔（１１ｃ）を上下にスライドして移動するガイドピン（１２ａ）に連結され、前記ドラム（１００）側壁に軸固定されるヒンジ軸（１２ｂ）を有する歯形構造のギア部材（１２）と、
前記ギア部材（１２）と歯結合され、スライドして移動可能な棒状の第２ロード部材（１３）と、
を含んで構成されたことを特徴とする自動車用シートベルトのリトラクタ装置。
【請求項２】
前記第２ロード部材（１３）の先端は、前記ドラム軸（１３０）の縁面に密着可能になるよう凹曲面形状に形成されたことを特徴とする請求項１記載の自動車用シートベルトのリトラクタ装置。
【請求項３】
前記第２ロード部材（１３）は二つの構造体の組み合せで、それぞれがスプリング（１３ａ）を通して互いに弾力的に支持されたことを特徴とする請求項１または請求項２に記載の自動車用シートベルトのリトラクタ装置。
【発明の詳細な説明】
【０００１】
【発明の属する技術分野】
本発明は、自動車用シートベルトのリトラクタ装置に係り、さらに詳細には、シートベルトのウェビング巻き取り速度を減速させることのできるリトラクタ装置に関する。
【０００２】
【従来の技術】
一般に、車両に設置されるシートベルトは車両衝突時、着座者の体を拘束し、２次衝突防止および衝撃緩和を図りながら、着座者が車体の外に飛び出すことを防止するように構成される。最も一般的な形態としては、肩を拘束するショルダーベルトと腰を拘束するラップベルトが組み合わされ、腰の両側と肩の３箇所を固定する３点式シートベルトが主に用いられている。
【０００３】
このようなシートベルトはよく知られているように、車両衝突時の高い安全性が立証され、着座者の安全に絶対に必要な装置となっており、最近ではシートベルトによる拘束を身体条件に最適に調節できるリトラクタ装置や、事故の時、着座者への衝撃を減らしながら、その活動には制限を与えないリトラクタ装置等が開発されている。車両のシートベルトは特殊な織り方をした厚布のウェビング、バックルおよびリトラクタから構成されるが、リトラクタはシートベルトのウェビングを巻き入れる装置のことで、車両に急激な力が働く時、通常、シートベルトを固定するロッキング機構が内蔵されている。
【０００４】
リトラクタには様々のものが開発されているが、従来のリトラクタのうち、ビークルセンサ（ｖｅｈｉｃｌｅ  ｓｅｎｓｏｒ）機構により、リトラクタ胴体がどのような角度で傾いていても自ら自立位置を設定し、正常なシートベルトロッキング性能を発揮するリトラクタがある。（特許文献１〜３参照）
他の例では、車体の下方に加わる加速度を検出してアクチュエータレバーをロックする方向に作動させるシートベルト用リトラクタがある。（特許文献４参照）
【０００５】
図４を参照して、一般的なシートベルトのリトラクタを説明する。シートベルト着用状態で車体の振動と加速度、傾き等を検出すると、ボールハウジング（２０１）に収納されたボール（２０２）が動き、爪であるパウル（Ｐａｗｌ）（２０３）およびラチェット（２０４）が押されて回転する。そして、ラチェット（２０４）がリトラクタのドラム（１００）内のドラム軸（１３０）に形成された逆転防止用ラチェットホイール（１４０）と干渉する領域に入り、シートベルトのウェビング（１１０）の引き出し方向（ウェビングの緩む方向）に対するラチェットホイール（１４０）の回転をロックする。
すなわち、ラチェット（２０４）は、ラチェットホイール（１４０）のウェビング引き出し方向の回転をロックし、ウェビング（１１０）が緩むのを防ぎ、着座者を拘束するものである。なお、シートベルトのウェビング（１１０）の巻き入れ時は、ラチェット（２０４）がラチェットホイール（１４０）と干渉しない領域に外れながら、ラチェットホイール（１４０）が巻き入れ方向に回転する。
【０００６】
しかしながら、シートベルトのウェビング（１１０）の巻き入れ時、リトラクタのうず巻き形スプリング（１２０）の弾性力による急激な巻き入れ動作は、シートベルトのウェビング（１１０）に過剰な巻き入れ状態を起こし、うず巻き形スプリング（１２０）に衝撃を発生させる。そのため、ビークルセンサ（２００）およびそのメカニズムに逆慣性が生じ、ラチェット（２０４）がラチェットホイール（１４０）を誤ってロックしてしまう現象が発生する。すると、次のシートベルトのウェビング（１１０）の引き出し動作ができず、修理しなければならないという問題が発生する。
【特許文献１】
米国特許第６，２５４，１９１号明細書
【特許文献２】
米国特許第５，２３２，１７７号明細書
【特許文献３】
米国特許第４，４３６，２５５号明細書
【特許文献４】
特開２０００−２１１４７４号公報（第１図）
【０００７】
【発明が解決しようとする課題】
本発明は上記の問題点を解決するために創出されたもので、ドラム軸の回転速度を低減させ、リトラクタのドラム内への、シートベルトのウェビングの急激な巻き入れで生じる衝撃を、緩和させることのできるリトラクタ装置を提供することにある。これによって、ビークルセンサの誤ったロック状態の検出を防止し、あわせて、シートベルトの利便性を一段と向上させ、車両の品質を高めたシートベルトのリトラクタ装置を提供することにある。
【０００８】
【課題を解決するための手段】
上記の課題を解決するため、本発明による自動車用シートベルトのリトラクタ装置は、シートベルトのウェビング（１１０）をドラム（１００）内に巻き入れる時、うず巻き形スプリング（１２０）の弾性力でドラム軸（１３０）を回転させて巻き入れるとともに、前記うず巻き形スプリング（１２０）の弾性力に連動してドラム軸（１３０）の回転速度を減少させるスプリング連繋駆動手段（１０）を具備して構成され、
前記スプリング連繋駆動手段（１０）は、前記うず巻き形スプリング（１２０）の弾性力により連動され、スライド移動を可能にするガイド部材（１１ａ）に挿入され、先端に復元スプリング（１１ｂ）を有する棒状の第１ロード部材（１１）と、前記第１ロード部材（１１）に設けられたガイド孔（１１ｃ）を上下にスライドして移動するガイドピン（１２ａ）に連結され、前記ドラム（１００）側壁に軸固定されるヒンジ軸（１２ｂ）を有する歯形構造のギア部材（１２）と、前記ギア部材（１２）と歯結合され、スライドして移動可能な棒状の第２ロード部材（１３）と、を含んで構成されたことを特徴とする。
【０００９】
第２ロード部材（１３）の先端は、ドラム軸（１３０）の縁面に密着可能になるよう凹曲面形状に形成されることが好ましい。
【００１０】
第２ロード部材（１３）は、二つの構造体の組み合せで構成され、それぞれがスプリング（１３ａ）を通して互いに弾力的に支持されることが好ましい。
【００１１】
【発明の実施の形態】
以下、本発明の好ましい実施例を図１乃至図３によって詳細に説明する。なお、実施の形態は、これに限定されるものではく本発明の技術的範囲内において変形が可能である。
【００１２】
図１は、本発明による自動車用シートベルトのリトラクタ装置のスプリング部を示す底面図である。図２は、図１の’Ａ−Ａ’線断面図であり、図３は、本発明による第２ロード部材の断面図である。
本発明は、シートベルトのウェビング（１１０）の巻き入れ時に、急激に巻き入れされる速度を徐々に減らし、過巻き入れによる衝撃を緩和させ、ビークルセンサ（２００）がロックされることを防止する技術である。
図１に示すように、リトラクタ装置には通常、ドラム（１００）が装着されているものとする。また、ドラム（１００）内には、図４に示すようなビークルセンサ（２００）が内蔵されているものとする。ビークルセンサ（２００）は、ボールハウジング（２０１）内に収納されたボール（２０２）が、爪であるパウル（２０３）およびラチェット（２０４）を旋回させ、ラチェット（２０４）を逆転防止用ラチェットホイール（１４０）の干渉領域内に動かして、シートベルトのウェビング（１１０）の引き出し方向に対する回転を抑止し、ロックするようになっている。
【００１３】
もちろん、パウル（２０３）およびラチェット（２０４）がラチェットホイール（１４０）の回転をロックすると、ドラム（１００）内のシートベルトのウェビング（１１０）は、これ以上引き出せなくなる。これによって、シートベルトがロックされる。シートベルトのウェビング（１１０）の巻き入れ時は、ラチェット（２０４）がラチェットホイール（１４０）の干渉領域から外れながら、ラチェットホイール（１４０）の回転が可能になる。
【００１４】
一方、図１に示すように、シートベルトのウェビング（１１０）が巻き取られるドラム（１００）のドラム軸（１３０）には、うず巻き形スプリング（１２０）が取り付けられている。
従って、シートベルトウェビング（１１０）を引き出した時には、うず巻き形スプリング（１２０）が収縮すように巻き込まれ、その直径を縮小する。反対にシートベルトのウェビング（１１０）の巻き入れられた時は、うず巻き形スプリング（１２０）が緩み、スプリングが元に戻ろうとして、その直径を拡大する。
【００１５】
図１のようなドラム（１００）内の構成における、本発明の好ましい実施例は、シートベルトのウェビング（１１０）の巻き入れ時に発生する過巻き入れによる、ビークルセンサ（２００）のロックを防止するため、うず巻き形スプリング（１２０）の弾性力に連動して、摩擦力をドラム軸（１３０）に与えるスプリング連繋駆動手段（１０）を設け、ドラム軸（１３０）の回転速度を減少させるようにすることである。
【００１６】
図２に示すように、スプリング連繋駆動手段（１０）は、うず巻き形スプリング（１２０）が取り付けられているドラム軸（１３０）の側面に、うず巻き形スプリング（１２０）が作用する方向、すなわち、うず巻き形スプリング（１２０）の拡大する方向に押し出されるように、棒状の第１ロード部材（１１）が装着されている。第１ロード部材（１１）は、左右にスライド移動が可能となるようガイド部材（１１ａ）に挿入される。第１ロード部材（１１）の移動する方向の先端には、移動した第１ロード部材（１１）が元の状態に戻れるように、第１ロード部材（１１）に弾性力を与える復元スプリング（１１ｂ）が、ドラム（１００）の側壁に固定され埋設されている。
【００１７】
そして、第１ロード部材（１１）の側面、図面上では第１ロード部材（１１）の下段には、第１ロード部材（１１）に形成されたガイド孔（１１ｃ）にピン結合され、上下にスライドして移動するガイドピン（１２ａ）と、ドラム（１００）側壁に軸固定されたヒンジ軸（１２ｂ）を有する、歯型構造のギア部材（１２）が装着される。そして、ギア部材（１２）と後部が歯結合され、ドラム軸（１３０）方向に左右スライドして移動できる棒状の第２ロード部材（１３）が装着されている。
【００１８】
図３に示すように、第２ロード部材（１３）の先端は、ドラム軸（１３０）の縁面に密着するよう凹曲面形状に形成されており、その中間部は互いに二つの構造体の組み合せで構成され、スプリング（１３ａ）を通して互いに弾力的に支持されている。
このように、中間部を互いに分離してスプリング（１３ａ）を連結させた理由は、第２ロード部材（１３）がドラム軸（１３０）に密着され、うず巻き形スプリング（１２０）の弾性力が加えられる時、ドラム軸（１３０）の回転力に比べ、第２ロード部材（１３）の密着力がさらに大きくなり、過度の摩擦力により回転が止まることを防止するためである。
【００１９】
次に、このような構成を有するリトラクタ装置の全体的な動作を説明する。
シートベルトのウェビング（１１０）を引き出す時、うず巻き形スプリング（１２０）は巻き込まれて収縮するが、その巻き込み量だけ、シートベルトのウェビング（１１０）の引き出しが可能である。ビークルセンサ（２００）のラチェット（２０４）が逆転防止用ラチェットホイール（１４０）の干渉領域外にあって、ロックされていないなら、ラチェットホイール（１４０）の回転が可能である。
反対に、シートベルトのウェビング（１１０）の巻き入れ時、うず巻き形スプリング（１２０）には、元に戻ろうとする弾性力が働き、その直径を拡大するが、同時に、うず巻き形スプリング（１２０）の元に戻ろうとする弾性力により、第１ロード部材（１１）が押されて、ガイド部材（１１ａ）を通してスライドして移動し、その移動方向と反対方向にギア部材（１２）がヒンジ軸（１２ｂ）を基点にして回転するので、第２ロード部材（１３）が押され、第２ロード部材（１３）の先端がドラム軸（１３０）に密着する。
【００２０】
この時、第２ロード部材（１３）の中間部に埋設されたスプリング（１３ａ）の弾性力により密着力が緩和され、ドラム軸（１３０）の回転が直ちに止まることはない。第２ロード部材（１３）とドラム軸（１３０）間の摩擦力は、徐々に大きくなって、ドラム軸（１３０）の回転速度は漸次減少する。
これによって、シートベルトのウェビング（１１０）は、最初は急速にドラム内に巻き入れられるが、徐々に摩擦力が加わって速度が減る。
従って、リトラクタのうず巻き形スプリング（１２０）の、過巻き入れ現象は発生せず、巻き入れ衝撃による逆慣性も発生しない。これによりビークルセンサ（２００）のラチェット（２０４）がラチェットホイール（１４０）にロックされることを防止できる。
【００２１】
【発明の効果】
以上のように、本発明による自動車用シートベルトのリトラクタ装置は、シートベルトのウェビングの急激な巻き入れによる衝撃を緩和させるので、シートベルトのウェビングの引き出しがロックされてしまう問題を解消できる。そのため、シートベルトの利便性を一段と向上させ、車両の品質を高める効果がある。
【図面の簡単な説明】
【図１】図１は、本発明による自動車用のシートベルトのリトラクタ装置に適用されるうず巻形スプリング部を示す底面図である。
【図２】図２は、図１の’Ａ−Ａ’線断面図である。
【図３】図３は、本発明による第２ロード部材を示す断面図である。
【図４】図４は、従来の自動車用シートベルトのリトラクタ装置の側面図である。
【符号の説明】
１０  ：  スプリング連繋駆動手段
１１  ：  第１ロード部材
１１ａ：  ガイド部材
１１ｂ：  復元スプリング
１１ｃ：  ガイド孔
１２  ：  ギア部材
１２ａ：  ガイドピン
１２ｂ：  ヒンジ軸
１３  ：  第２ロード部材
１３ａ：  スプリング
【図１】
0003711372.tif 000002
【図２】
0003711372.tif 000003
【図３】
0003711372.tif 000004
【図４】
0003711372.tif 000005